(57)【要約】【課題】施工が簡単でポール本体の急激な落下を防止でき、ポール本体の起立動作が容易に行え、しかも簡単な操作でポール本体の起立姿勢を確実に保持できる可動式ポールを提供する。【解決手段】可動式ポール１は、地中Ｇ中に埋設される格納ボックス３と、格納ボックス３内に設けられる回動軸５を中心にして所定の角度回動し、倒伏姿勢と起立姿勢とを切り換えることのできるポール本体７と、格納ボックス３の上部開口９を閉塞する蓋体１１とを備えており、更に前記ポール本体７の回動基端部１３には起立姿勢にしたポール本体７の不用意な倒伏を防止する倒伏防止手段１５を設けた。また倒伏防止手段１５として嵌合軸部７５と嵌合穴部４７による嵌合構造と係合長穴６５と回動軸５による係合構造とを併用した構造を採用した。【選択図】        図１
2007070916.tif 000002
【特許請求の範囲】
【請求項１】
地中に埋設される格納ボックスと、格納ボックス内に設けられる回転軸を中心にして所定の角度回動し、倒伏姿勢と起立姿勢とを切り換えることのできるポール本体と、格納ボックスの上部開口を閉塞する蓋体とを備える可動式ポールにおいて、前記ポール本体の回動基端部には起立姿勢にしたポール本体の不用意な倒伏を防止する倒伏防止手段が設けられていることを特徴とする可動式ポール。
【請求項２】
請求項１に記載した可動式ポールにおいて、前記倒伏防止手段は前記ポール本体の回動基端面に固定状態で取り付けられる取付けブラケットと、該取付けブラケットに対して設けられる嵌合軸部または嵌合穴部と、前記取付けブラケットと嵌合し、取付けブラケットを回動自在に支持する回動軸と、該回動軸に対して設けられ、前記嵌合軸部または嵌合穴部に対して出没自在に嵌合する嵌合穴部または嵌合軸部とを備えていることを特徴とする可動式ポール。
【請求項３】
請求項２に記載した可動式ポールにおいて、前記取付けブラケットには回動軸と係合する係合長穴が設けられており、前記ポール本体は係合長穴の作用長の範囲内において前記嵌合軸部と嵌合穴部の接近離反方向に移動し得るように構成されていることを特徴とする可動式ポール。
【請求項４】
請求項２または３に記載した可動式ポールにおいて、前記格納ボックスには前記取付けブラケットの進入を許容すると共に前記嵌合軸部と嵌合穴部の嵌合位置を設定する係合スリットが設けられていることを特徴とする可動式ポール。
【請求項５】
請求項１〜４のいずれかに記載した可動式ポールにおいて、前記ポール本体の回動基端部にはポール本体の急激な倒伏を防止すると共にポール本体の起立を助けるポール本体用のバネが設けられていることを特徴とする可動式ポール。
【請求項６】
請求項１〜５のいずれかに記載した可動式ポールにおいて、格納ボックスの外面には凹部と凸部の少なくとも一方が形成されていることを特徴とする可動式ポール。
【発明の詳細な説明】
【技術分野】
【０００１】
本発明は、未使用時には地中に格納され、使用時には地上に突出して車両の侵入等を防止する可動式ポールに関するものである。
【背景技術】
【０００２】
可動式ポールは一般家庭、会社等の門柱として、公園や駐車場等において車両の侵入を防止したり、駐車スペースを規制したりする駐車場ポールとして広く使用されている。
このような可動式ポールにはポール本体が垂直姿勢を保ったまま地中に設けた格納穴を出入りする昇降式のものが存在する。またポール本体を回動させることによってポール本体の倒伏姿勢と起立姿勢とを切り換える回動式のタイプとものが開発されている。
【０００３】
このうち昇降式タイプの可動式ポールの施工にあたっては、長尺の可動式ポールの寸法に合わせて、格納穴をかなり深く掘削しなければならず、工事に相当な手間が掛かってしまうという問題が生じていた。
一方、回動式タイプの可動式ポールの施工にあたっては、そのような問題は生じないという長所を有しているが、使用にあたり傾倒姿勢にあるポール本体から不用意に手を離した場合にはポール本体が勢いよく倒れて、手や足を挟んだり、ポール本体を損傷させたりするおそれがある。またポール本体の起立姿勢時の固定が確実でない場合には車輌等の衝突によって簡単にポール本体が倒れてしまうことになるし、その反面、手間が掛かる固定手段を採用すれば可動式ポールの使用が煩わしいものとなってしまう。
【発明の開示】
【発明が解決しようとする課題】
【０００４】
本発明は、上記背景技術が抱える問題点を踏まえてなされたものであって、施工が簡単でポール本体の急激な落下を防止でき、ポール本体の起立動作が容易に行え、しかも簡単な操作でポール本体の起立姿勢を確実に保持できる機能性と使い勝手を兼ね備えた新規な可動式ポールを提供することを解決しようとする課題とする。
【課題を解決するための手段】
【０００５】
上記課題を解決するために、請求項１に記載した発明は、地中に埋設される格納ボックスと、格納ボックス内に設けられる回転軸を中心にして所定の角度回動し、倒伏姿勢と起立姿勢とを切り換えることのできるポール本体と、格納ボックスの上部開口を閉塞する蓋体とを備える可動式ポールにおいて、前記ポール本体の回動基端部には起立姿勢にしたポール本体の不用意な倒伏を防止する倒伏防止手段が設けられていることを特徴とする可動式ポールである。
【０００６】
請求項２に記載した発明は、請求項１に記載した可動式ポールにおいて、前記倒伏防止手段は前記ポール本体の回動基端面に固定状態で取り付けられる取付けブラケットと、該取付けブラケットに対して設けられる嵌合軸部または嵌合穴部と、前記取付けブラケットと嵌合し、取付けブラケットを回動自在に支持する回動軸と、該回動軸に対して設けられ、前記嵌合軸部または嵌合穴部に対して出没自在に嵌合する嵌合穴部または嵌合軸部とを備えていることを特徴とする可動式ポールである。
【０００７】
請求項３に記載した発明は、請求項２に記載した可動式ポールにおいて、前記取付けブラケットには回動軸と係合する係合長穴が設けられており、前記ポール本体は係合長穴の作用長の範囲内において前記嵌合軸部と嵌合穴部の接近離反方向に移動し得るように構成されていることを特徴とする可動式ポールである。
【０００８】
請求項４に記載した発明は、請求項２または３に記載した可動式ポールにおいて、前記格納ボックスには前記取付けブラケットの進入を許容すると共に前記嵌合軸部と嵌合穴部の嵌合位置を設定する係合スリットが設けられていることを特徴とする可動式ポールである。
【０００９】
請求項５に記載した発明は、請求項１〜４のいずれかに記載した可動式ポールにおいて、前記ポール本体の回動基端部にはポール本体の急激な倒伏を防止すると共にポール本体の起立を助けるポール本体用のバネが設けられていることを特徴とする可動式ポールである。
【００１０】
請求項６の発明は、請求項１〜５のいずれかに記載した可動式ポールにおいて、格納ボックスの外面には凹部と凸部の少なくとも一方が形成されていることを特徴とする可動式ポールである。
【発明の効果】
【００１１】
本発明の可動式ポールによれば、地中を深く掘削しなくてもポール本体の格納スペースを確保することができる。また、倒伏防止手段の採用によってポール本体に車輌等が衝突した場合でもポール本体はそのまま起立姿勢を保つことができるようになる。
また嵌合軸部及び嵌合穴部による嵌合構造と係合長穴と回動軸とによる係合構造を採用した場合には、起立ポジションに達したポール本体を係合長穴の作用長分下方に移動させるだけの極めて簡単な操作によってポール本体の起立姿勢を確実に保持することが可能となる。
【００１２】
係合スリットを採用した場合には回動時のポール本体の左右のぶれを防止してポール本体の回動動作を円滑にすると共に、ポール本体の起立ポジションが一定になるため嵌合軸部と嵌合穴部の嵌合動作が円滑になる。
ポール本体の回動基端部にトーションバネを設けた場合には、傾倒姿勢にあるポール本体から不用意に手を離した場合でもポール本体が勢いよく落下することはなく、使用者の安全性が確保され、落下によるポール本体の損傷も防止される。またトーションバネの付勢力によってポール本体の起立方向への移動が円滑になり、小さな力でポール本体を起立させることができる。
【発明を実施するための最良の形態】
【００１３】
本願発明の可動式ポール１は、未使用時には地中Ｇに格納され、使用時には地上に突出して車両の侵入等を防止する門柱や駐車場ポールとして使用される。
具体的には本発明の可動式ポール１は地中Ｇに埋設される格納ボックス３と、格納ボックス３内に設けられる回動軸５を中心にして所定の角度回動し、倒伏姿勢と起立姿勢とを切り換えることのできるポール本体７と、格納ボックス３の上部開口９を閉塞する蓋体１１とを備え、上記ポール本体７の回動基端部１３には起立姿勢にしたポール本体７の不用意な倒伏を防止する倒伏防止手段１５が設けられている。
実施の形態１に係る可動式ポール１について図１〜図７の図面に基づいて説明する。
【００１４】
実施の形態に係る可動式ポール１は手動式であり、格納ボックス３内には駆動伝達部材は設けられていない。
格納ボックス３は奥行寸法の長い浅底の角箱状の部材で内箱１７と外箱１９の２重構造になっている。内箱１７と外箱１９の上面は開放されており、その開放部位が上部開口９となっている。
外箱１９の上部周縁は側方に庇状に９０°折り曲げられており、外フランジ部２１が形成されている。外フランジ部２１の上面には窓枠２７が取り付けられており、窓枠２７の上面が地面ＧＬとほぼ面一になっている。そして蓋体１１を装着した状態では、蓋体１１の上面と窓枠２７の上面とがほぼ面一になるように設定されている。
窓枠２７の長手方向の一方の端部には、後述する取付けブラケット４３と係合する係合スリット５９が長手方向に沿うように平行に２本、窓枠２７の内周縁側から切り込まれて所定の長さに亘って形成されている。
【００１５】
外箱１９の一方の側板には、外箱１９内に溜まった雨水等を外部に排出する水抜き用の穴部２３が設けられており、水抜き用の穴部２３の外方には円管状の水抜き管２５が連接されている。
内箱１７の長手方向に沿う一方の側板の上縁も外方に庇状に９０°折り曲げられており、窓枠２７の長手方向に沿う一方の側縁の下面を支承する支承板２９となっている。
また支承板２９の長手方向の両端部と中央には切欠き部３１が形成されており、該切欠き部３１に蓋体１１の回動支点となる回動軸を有する回動ヒンジ金具３３が３個設けられている。各回動ヒンジ金具３３には蓋体１１を拡開方向に付勢する蓋体用のトーションバネ３５が個別に設けられている。
【００１６】
支承板２９が設けられている側と反対側の内箱１７の側板には上記外箱１９の水抜き用の穴部２３に対応する位置には、切欠き窓３７が設けられている。
内箱１７の長手方向の一方の端部における左右の側板の内面には円板状の２枚の軸受部３９が設けられており、２枚の軸受部３９の間に水平に架け渡されるように固定状態で一体に回動軸５が設けられている。
回動軸５にはポール本体７の回動基端面４１に固定状態で取り付けられる取付けブラケット４３と、ポール本体７を起立方向に付勢するポール本体用のトーションバネ４５が回動自在ないし捩り変形可能な状態で取り付けられている。また回動軸５の周面の最上部における適宜の位置には倒伏防止手段１５の一部の構成部材である嵌合穴部４７が立設されている。
【００１７】
蓋体１１は上記格納ボックス３の上部開口９を閉塞する部材で上記窓枠２７の内周面の形状に沿うようにコーナー部が丸く加工された矩形平板状の部材である。
蓋体１１の長手方向に沿う一方の側縁は回動ヒンジ金具３３に接続されており、蓋体１１は回動ヒンジ金具３３の回動軸を回動支点として約１８０°の範囲に亘って回動し得るように構成されている。
【００１８】
回動ヒンジ金具３３に接続される側と反対側の蓋体１１における側縁の中央には、窓枠２７の対応する位置に設けられるスナップキャッチ４９と係合する係合突起５１が設けられている。
蓋体１１の長手方向における一方の端部寄りには、蓋体１１の閉塞状態をロックするためのロック装置５３が設けられており、このロック装置５３にキー５５を挿し込んで所定の方向に回すことによってロック装置５３のロック状態とロック解除状態とを切り換えることができる。またキー５５には指を掛けることができる柄が付いており、この柄は蓋体１１を開閉させる際の取っ手としても機能する。
【００１９】
ポール本体７は両端面が閉塞された一例として円筒状の部材で、ポール本体７の回動基端面４１には、門形断面をした取付けブラケット４３の天板６１が溶接等によって固着されている。
天板６１の左右の端面にはポール本体７の伸張方向と反対側に延びる略矩形平板状の２枚の翼板６３が設けられており、対向する位置にある２枚の翼板６３のそれぞれには回動軸５と係合する係合長穴６５がポール本体７の伸張方向に延びるように所定の作用長の範囲に亘って設けられている。
【００２０】
係合長穴６５には翼板６３の先端側に径が大きな円形状の回動案内部６７が形成されており、この回動案内部６７と連続して天板６１側に延びるように回動案内部６７より径が小さな長穴状の回動規制部６９が延長形成されている。
回動案内部６７は回動軸５と嵌合、そして摺接することによってポール本体７の円滑な回動を可能にし、案内する部分である。また回動規制部６９は、回動軸５の対向する周面の一部を切除して形成される平滑な回動規制面７１と係合してポール本体７の長手方向への移動を案内すると共にポール本体７の回動を規制する部分である。
【００２１】
天板６１の下方には所定の距離隔てて矩形平板状の補助板７３が、両端が対向する２枚の翼板６３に支持されて水平に設けられている。補助板７３には嵌合穴部４７と嵌合する倒伏防止手段１５の構成部材の一つである嵌合軸部７５と、ポール本体用のトーションバネ４５の両端の切り離し端８３を係止するための２つの係止穴７７が設けられている。
尚、本実施の形態ではポール本体用のバネ４５として内箱１７の底板部上面に接地し、中央に位置するＵ字状の係止部７９を挟んで、その左右に２つのコイル部８１を配した２重コイル式のトーションバネを一例として使用している。
【００２２】
次にこのようにして構成される実施の形態に係る可動式ポール１の作動態様を（１）使用時と（２）格納時に分けて説明する。
（１）使用時（図３、７参照）
可動式ポール１を使用する場合には、蓋体１１の上面に刻設されているロック装置５３のキー溝８５にキー５５を挿し込んで所定の方向に回す。これによりロック装置５３はロック解除状態になるため蓋体１１は開閉可能な状態になる。キー５５の柄を持って蓋体１１を１８０°程度回動させて仰向きにして格納ボックス３の上部開口９を拡開状態とする。
次に倒伏姿勢のポール本体７の先端部を持って回動軸５を中心にして上方に約９０°回動させる。この際回動軸５には係合長穴６５における回動案内部６７が係合しており、取付けブラケット４３における左右の翼板６３は係合スリット５９内に進入して案内されるため、ポール本体７は左右にぶれることなく円滑に回動する。またポール本体用のトーションバネ４５の付勢力によって小さな力でポール本体７を上方に回動させることができる。
【００２３】
翼板６３の側端面が係合スリット５９の端面に当接した位置がポール本体７の起立ポジションであり、起立ポジションに達したポール本体７は係合長穴６５の回動規制部６９の内側縁に案内されて係合長穴６５の作用長分だけ落下する。そして作用長分だけポール本体７が落下した状態では、補助板７３の下方に突出している嵌合軸部７５が回動軸５に形成されている嵌合穴部４７に嵌合すると共に回動軸５に形成された回動規制面７１が回動規制部６９の内側縁に当接することでポール本体７の不用意な傾倒が防止されて、ポール本体７の起立姿勢の維持が図られる。
【００２４】
（２）格納時（図４、６参照）
ポール本体７を格納する場合には、ポール本体７の先端部を持って係合長穴６５の作用長分上方に持ち上げる。この状態では嵌合軸部７５は嵌合穴部４７の上方に引き抜かれ、回動軸５は係合長穴６５の回動案内部６７に位置することになるためポール本体７は回動可能な状態になる。そしてこの状態から徐々にポール本体７を傾倒させて行き格納ボックス３内に完全に納まった倒伏姿勢とする。
ポール本体７を傾倒させて行く途中で不用意にポール本体７から手を離したとしてもポール本体用のトーションバネ４５の付勢力が斜め上方に向けて作用しているため、ポール本体７はゆっくりと倒れる。従って、ポール本体７と格納ボックス３との間に使用者の手や足が挟まれることはなく、ポール本体７が衝撃を受けて損傷することもない。
【００２５】
ポール本体７が傾倒姿勢に移行後、キー５５の柄を持って蓋体１１を約１８０°回動させて内伏せ状態とし、格納ボックス３の上部開口９を蓋体１１によって閉塞する。
蓋体１１の閉塞状態はスナップキャッチ４９に係合突起５１が係合することによって保持される。そしてキー５５を所定の方向に回してロック装置５３をロック状態にしてキー５５をキー溝８５から引き抜けば蓋体１１の閉塞状態がロックされてポール本体７の格納が完了する。
蓋体１１の開閉時にも蓋体１１には蓋体用のトーションバネ３５の付勢力が作用しているため蓋体１１の開閉はゆっくりと安全に行われる。
【００２６】
実施の形態２に係る可動式ポール１０１について図８の図面に基づいて説明する。
可動式ポール１０１は実施の形態１に係る可動式ポール１とほぼ同様の構成を有するので、同様の構成部分については実施の形態１で用いた符号と同じ符号を付して、その説明を省略し、その相違点についてのみ説明する。
格納ボックス３の外面を構成する外箱１１９の外面には正面視が矩形の凹部１１９ａが複数形成されている。この凹部１１９ａは格納ボックス３を地中Ｇに埋設したときに、格納ボックス３が動くのを防止するためのものである。即ち、凹部１１９ａにコンクリートや土が入り込むことによって外箱１１９とコンクリートや土との接触面積を増大させ、格納ボックス３の固定をより強固にして、格納ボックス３が動くのを確実に防止する。
【００２７】
窓枠１２７の上面には正面視が円形の凹部１２７ａが多数形成され、また蓋体１１１にも同様に正面視が円形の凹部１１１ａが多数形成されている。こられの凹部１２７ａ、凹部１１１ａは人が窓枠１２７や蓋体１１１の上に載った場合に滑るのを防止するためのものである。
【００２８】
以上、本発明を実施するための最良の形態について説明したが、本発明の具体的構成はこれに限定されるものではなく、本発明の要旨から外れない範囲での設計変更等があっても本発明に含まれる。
例えば、上記実施の形態は手動式の可動式ポール１、１０１を示したが、電動式の可動式ポールに対して適用することも可能である。また嵌合穴部４７と嵌合軸部７５の位置を逆にして補助板７３側に嵌合穴部４７、回動軸５側に嵌合軸部７５を設けることも可能である。また嵌合穴部４７と嵌合軸部７５は１組のみ設ける場合に限らず、複数組設けることも可能である。
【産業上の利用可能性】
【００２９】
本発明は未使用時には地中に格納され、使用時には地上に突出して車輌の侵入等を防止する可動式ポールの製造、使用分野等で利用でき、特に施工が簡単で、ポール本体の移動が円滑且つ安全に実行でき、ポール本体の起立姿勢を簡単な操作で確実に保持したい場合に利用可能性を有する。
実施の形態２に係る可動ポール１０１の外箱１１９に凹部１１９ａを設けたが、本発明はこれに限定されず、凹部を形成する代わりに凸部を形成してもよく、また凹部の凸部の両方を設けてよい。即ち、凹部と凸部の少なくとも一方を設ければよい。
上記実施の形態では、格納ボックス３を内箱１７と外箱１９（１１９）の２つの部材によって構成したが、本発明はこれに限定されず１つの筐体によって格納ボックスを構成してもよい。
【図面の簡単な説明】
【００３０】
【図１】本発明の実施の形態１に係る可動式ポールの使用状態を示す斜視図である。
【図２】本発明の実施の形態１に係る可動式ポールを示す分解斜視図である。
【図３】本発明の実施の形態１に係る可動式ポールを示す起立姿勢の側断面図である。
【図４】本発明の実施の形態１に係る可動式ポールを示す倒伏姿勢の側断面図である。
【図５】本発明の実施の形態１に係る可動式ポールにおけるポール本体の回動基端部周辺を拡大して示す斜視図である。
【図６】本発明の実施の形態１に係る可動式ポールにおけるポール本体の回動基端部周辺を拡大して示すポール本体を引き上げた状態の正面図（ａ）と側面図（ｂ）である。
【図７】本発明の実施の形態１に係る可動式ポールにおけるポール本体の回動基端部周辺を拡大して示すポール本体を押し下げた状態の正面図（ａ）と側面図（ｂ）である。
【図８】本発明の実施の形態２に係る可動式ポールを示す分解斜視図である。
【符号の説明】
【００３１】
１  可動式ポール      ３  格納ボックス      ５  回動軸
７  ポール本体      ９  上部開口      １１  蓋体      １３  回動基端部
１５  倒伏防止手段      １７  内箱      １９  外箱
２１  外フランジ部      ２３  水抜き用の穴部      ２５  水抜き管
２７  窓枠      ２９  支承板      ３１  切欠き部
３３  回動ヒンジ金具      ３５  （蓋体用の）トーションバネ
３７  切欠き窓      ３９  軸受部      ４１  回動基端面
４３  取付けブラケット      ４５  （ポール本体用の）トーションバネ
４７  嵌合穴部      ４９  スナップキャッチ      ５１  係合突起
５３  ロック装置      ５５  キー      ５９  係合スリット      ６１  天板
６３  翼板      ６５  係合長穴      ６７  回動案内部
６９  回動規制部      ７１  回動規制面      ７３  補助板
７５  嵌合軸部      ７７  係止穴      ７９  係止部      ８１  コイル部
８３  切り離し端      ８５  キー溝
１０１  可動式ポール      １１１  蓋体      １１１ａ  凹部
１２７  窓枠      １２７ａ  凹部      １１９  外箱      １１９ａ  凹部
Ｇ  地中      ＧＬ  地面
【図１】
2007070916.tif 000003
【図２】
2007070916.tif 000004
【図３】
2007070916.tif 000005
【図４】
2007070916.tif 000006
【図５】
2007070916.tif 000007
【図６】
2007070916.tif 000008
【図７】
2007070916.tif 000009
【図８】
2007070916.tif 000010